(57)【要約】      （修正有）【課題】電池交換の必要がなく、作業を継続できる入力装置を提供する。【解決手段】有線又は無線マウスを使用可能な入力装置であって、装置に受信機を設け、その受信機は伝送ケーブルを介してコンピュータと接続し、かつ、受信機の傾斜表面に第一掛け金を設け、受信機は無線マウスと組み合わせ、マウスに充電電池を設け、かつ、そのマウスの傾斜表面に第二掛け金を設け、無線マウスに内蔵された電池の電気がまもなく使い切るとき、第一、第二掛け金が互いに引っ掛けることにより、マウスと受信機を結合して置き、コンピュータはマウスに内蔵された充電電池に充電できる他、マウスは受信機を介してコンピュータに接続しながら、作業を継続できる。【選択図】図２
0003113067.tif 000002
【実用新案登録請求の範囲】
【請求項１】
有線又は無線マウスを使用可能な入力装置であって、受信機と無線マウスとからなり、
前記受信機は、コンピュータに接続し、コンピュータより信号及び必要な電源を提供受ける、受信機に第一掛け金を設け、さらに、受信機に接点を設けて、その接点はコンピュータ電源に電気的に接続し、
前記無線マウスは、受信機と組み合わせて使用し、マウスに充電電池を有し、無線マウス上は、さらに第二掛け金を設け、その無線マウスに充電電池と接続するための金属接点を設けて、接点と金属接点との接触により導通状態にし、コンピュータが受信機を介して電気を伝送して充電電池に充電することにより、無線マウスの充電電池を使い切ったとき、コンピュータはマウスに内蔵された充電電池に充電しながら、受信機を介してコンピュータとの接続を維持して、作業が続けられることを実現することを特徴とする、
有線又は無線マウスを使用可能な入力装置。
【考案の詳細な説明】
【技術分野】
【０００１】
本考案は一種の有線又は無線マウスを使用可能な入力装置に関わる。特に、無線マウスは電気が使い切りにより、作業を中断することなく、受信機を介して無線マウスに充電することができるため、使い方が簡単で、作業効率の向上を実現できる。
【背景技術】
【０００２】
マウスは、もはやコンピュータ周辺装置で不可欠の部品である。マウスはもともと伝送ケーブルでもって、コンピュータに繋いでおかないと、コンピュータに接続して、制御及び作業を行うことができなかった。それは、有線マウスと呼ばれている。しかしながら、そのようなマウスは、伝送ケーブルの制限を受けるため、利用者は個人の習慣に従って、マウスを作業し易い位置に置くことができないため、極めて不便である。
【０００３】
前述した欠点を改善するため、一種の無線マウスが開発されている。図1に示す通り、受信機100を有し、受信機100は伝送ケーブル110によって、コンピュータに接続し、コンピュータの制御信号と電源は伝送ケーブル110を介して受信機100に伝送して、受信機100の作業に必要な電源を供給し、コンピュータの制御を受けられる。さらに、受信機100は無線マウス200との組み合わせることができる。無線マウス200に発信機(図示していない)を設けて、発信機は無線マウス200の動作信号を受信機100に伝送した上、受信機100を介してコンピュータに伝送して、コンピュータに接続する。さらに、発信機の作動に必要な電源を供給するため、無線マウス200に電池1本又は2本を取り付けている。このような構造は、前述した有線マウスの問題点は改善されている。しかしながら、信号は無線方式で伝送可能だが、電源は同じ無線手段による供給ができない。よって、無線マウス200の発信機は内蔵した電池をもって電源を供給しない限り、操業できない。このため、電池の電気を使い切った後、利用者は作業を一時中止して、マウス200に内蔵した電池を取り出して交換しなければならない。一方、使用済みの電池は環境に悪影響を与える恐れがある。このように、使用の便利性と環境保護をかねた方策は、早急に解決する課題となっている。
【考案の開示】
【考案が解決しようとする課題】
【０００４】
本考案は前述した伝統技術の欠点に対する改善である。
【課題を解決するための手段】
【０００５】
装置に受信機を設け、その受信機は伝送ケーブルを介してコンピュータと接続する。かつ、受信機の表面に接点を設け、受信機を無線マウスに組み合わせる。無線マウスは受信機を介してコンピュータとの交信により、コンピュータの制御を受ける。更に、マウスは充電電池を取り付けて、充電電池上の導線はマウス表面の金属接点に接続して置き、無線マウスに内蔵された電池の電気がまもなく使い切ると、接点は金属接点との接触により、コンピュータは受信機を介して、マウスに内蔵された電池に充電する同時に、マウスは受信機を介してコンピュータに接続しながら、電池交換必要がなく、作業を継続できるため、環境保護の目的を実現する。
本考案のもう一目的は、一種の有線又は無線マウスを使用可能な入力装置の提供に関わる、受信機と無線マウスの表面上に互いに組み合わせる第一、第二掛け金を設け、充電するとき、第一、第二掛け金が互いに引っ掛けて、充電過程に中断することを防止するため、受信機上の接点と無線マウス上の金属接点との接触を保持する。
【考案の効果】
【０００６】
本考案に係る入力装置によれば電池交換の必要がなく、作業を継続することができる。
【考案を実施するための最良の形態】
【０００７】
[実施例1]
本考案は一種の有線又は無線マウスを使用可能な入力装置に関わるもので、図2、3、4に示す通り、その装置上に任意形状の受信機10を設ける。本実施例において、長方形に近いケースを用いる。受信機10の内部に無線信号を受信するための受信素子を設け、その受信機10は伝送ケーブル11を介して、コンピュータ30に接続して、コンピュータ30の電源は、伝送ケーブル11の伝送により、受信機10上に伝送し、受信素子の作動に必要な電気を供給できるほか、受信機10によって受信したは、伝送ケーブル11を介してコンピュータ30に伝送して処理させる。これに関する装置と操作は、従来の無線マウスに同様、また、本考案の重点でないため、省略する。
【０００８】
さらに、受信機10いずれの表面に一つ以上の接点12を設け、接点12は金属の円錐状の突起部を有し、かつ、その接点12は伝送ケーブル11の電源導線に接続(図示していない)する。受信機10は接点12を設けた傾斜表面に第一掛け金13を設ける。本実施例において、凹み溝を用いる。
【０００９】
受信機10は無線マウス20と組み合わせて使用し、無線マウス20に充電電池21を内蔵する。充電電池21は発信機に接続(図示していない)し、無線マウス20の表面に接点12と向かい合った円錐状金属接点22を設ける。金属接点22は電子回路によって充電電池21に接続する。さらに、無線マウス20は金属接点22の傾斜面に第二掛け金23を設ける。本実施例において、突起の引っ掛け部を用いる。第二掛け金23は第一掛け金13と組み合わせられる(図3に示す)。
【００１０】
使用するときは、図2、4に示すように、伝送ケーブル11を介して受信機10をコンピュータ30に接続した上、無線マウス20の発信機より信号の出力により、受信範囲内の受信機10は信号を受信して、伝送ケーブル11を介してコンピュータ30に伝送し、コンピュータ30にて処理した後、無線マウス20の移動座標をディスプレイに表示するなど、作業の目的を果たせる。
【００１１】
さらに、図3、5図に示す通り、無線マウス20の電池21の電気を使い切る前に、第一、第二掛け金13、23の引っ掛け合いにより、受信機10と無線マウス20を一体化に結合して、受信機10と無線マウス20表面の接点12を金属接点22に接触させ、導通状態にして、コンピュータ30の電源は、伝送ケーブル11を介して接点12に伝送し、接点12と金属接点22との接触により、電気を充電電池21に伝送して、充電する同時、無線マウス20は受信機10を介して引き続きに作業できる。このように、作業の中断がなく、使用便利、かつ、作業効率を向上できる他、使用済みの電池を廃棄必要がない。環境保護の目的を実現する。
【産業上の利用可能性】
【００１２】
前述した実施するための最良の形態により、本考案は無線マウスの使用効率を向上するほか、従来技術の欠点が確実に改良され、特殊な効果を有することがある。本考案構造の特徴と実施例は詳細に説明した通り、本考案の目的及び効果について、実施の進歩性があり、産業上の利用価値を有するものである。
なお、以上の内容は、本考案実施するための最良の形態の説明であり、本考案の実施範疇を制限すべきではない。
【図面の簡単な説明】
【００１３】
【図１】伝統装置の概略図。
【図２】本考案の立体分解概略図。
【図３】本考案の立体組み立て概略図。
【図４】本考案の装置とコンピュータに接続した後の動作概略図。
【図５】本考案の装置が充電するときの概略図。
【符号の説明】
【００１４】
10    受信機
11    伝送ケーブル
12    接点
13    第一掛け金
20    無線マウス
21    充電電池
22    金属接点
23    第二掛け金
30    コンピュータ
【図１】
0003113067.tif 000003
【図２】
0003113067.tif 000004
【図３】
0003113067.tif 000005
【図４】
0003113067.tif 000006
【図５】
0003113067.tif 000007